(57)【要約】【課題】本発明は、ナビゲーション装置と、それを搭載した自動車に関するもので、使い勝手を向上することを目的とするものである。【解決手段】そしてこの目的を達成するために本発明は、シートベルト着脱検出部２２によってシートベルト７が外されたことを検出した場合に、制御部１５によって、表示部１４に、停車スペース３１、３３を表示させる構成としたので、運転者は、適切な停車スペース３１、３３の存在場所を簡単に知ることが出来る。このため、比較的短時間のうちに、その停車スペース３１、３３にて、シートベルト７の再装着が可能となり、極めて使い勝手の良いものとなるのである。【選択図】図２
2014106218.tif 000002
【特許請求の範囲】
【請求項１】
地図情報を表示する表示部と、この表示部に接続した制御部と、この制御部に接続した現在位置検出部、記憶部、車速計測部およびシートベルト着脱検出部とを備え、前記制御部は、前記車速計測部によって車速が所定値以上であると検出し、かつ、シートベルト着脱検出部によってシートベルトが外されたことを検出した場合に、前記表示部に、停車スペースを表示させる構成としたナビゲーション装置。
【請求項２】
制御部は、前記車速計測部によって車速が所定値以上であると検出し、かつ、シートベルト着脱検出部によってシートベルトが外されたことを検出した場合に、前記表示部に、シートベルト非装着警告を所定時間表示させ、その後、この表示部に、停車スペースを表示させる構成とした請求項１に記載のナビゲーション装置。
【請求項３】
制御部は、表示部に停車スペースと、この停車スペースへの案内経路を表示させる構成とした請求項１または２に記載のナビゲーション装置。
【請求項４】
請求項１から３のいずれか一つに記載のナビゲーション装置を、搭載した自動車。
【発明の詳細な説明】
【技術分野】
【０００１】
本発明は、ナビゲーション装置と、それを搭載した自動車に関するものである。
【背景技術】
【０００２】
走行中に、シートベルトが外されたことを検出した場合、前記表示部に警告表示を行うナビゲーション装置の構成は、以下のようになっていた。
【０００３】
すなわち、地図情報を表示する表示部と、この表示部に接続した制御部と、この制御部に接続した現在位置検出部、記憶部、車速計測部およびシートベルト着脱検出部とを備え、前記制御部は、前記車速計測部によって車速が所定値以上であると検出し、かつ、シートベルト着脱検出部によってシートベルトが外されたことを検出した場合に、前記表示部に、シートベルト非装着警告を表示させる構成となっていた（例えば下記特許文献１）。
【先行技術文献】
【特許文献】
【０００４】
【特許文献１】特開２０１１−１２６４７１号公報
【発明の概要】
【発明が解決しようとする課題】
【０００５】
上記従来例においては、シートベルトが外されたことを検出した場合に、前記表示部に、シートベルト非装着警告を表示させる構成となっているので、シートベルトを再装着させるには効果的ではある。
【０００６】
しかしながら、例えば、その車内において、自分では自らシートベルトを装着することが困難な同乗者、例えば子供が後席に乗っている場合には、たとえ上述した警告が表示部に表示されたとしても、直ちにシートベルトを再装着させることが出来ない。
【０００７】
この場合、通常は、進行前方の適当な場所を探して、停車し、例えば、運転者が、子供のシートベルトを再装着させることになるのであるが、進行前方に必ずしも適正な停車スペースがあるとは限らず、結局、シートベルト非装着状態での運転が長く継続してしまうことになる。
【０００８】
つまり、前記表示部に、シートベルト非装着警告を表示させるだけのものは、使い勝手が悪いものであった。
そこで、本発明は、使い勝手を向上させることを目的とするものである。
【課題を解決するための手段】
【０００９】
本発明は、地図情報を表示する表示部と、この表示部に接続した制御部と、この制御部に接続した現在位置検出部、記憶部、車速計測部およびシートベルト着脱検出部とを備え、前記制御部は、前記車速計測部によって車速が所定値以上であると検出し、かつ、シートベルト着脱検出部によってシートベルトが外されたことを検出した場合に、前記表示部に、停車スペースを表示させる構成とし、これにより所期の目的を達成するものである。
【発明の効果】
【００１０】
以上のように本発明は、地図情報を表示する表示部と、この表示部に接続した制御部と、この制御部に接続した現在位置検出部、記憶部、車速計測部およびシートベルト着脱検出部とを備え、前記制御部は、前記車速計測部によって車速が所定値以上であると検出し、かつ、シートベルト着脱検出部によってシートベルトが外されたことを検出した場合に、前記表示部に、停車スペースを表示させる構成としたので、使い勝手の良いものとなる。
【００１１】
すなわち、本発明では、シートベルト着脱検出部によってシートベルトが外されたことを検出した場合に、制御部によって、表示部に、停車スペースを表示させる構成としたので、運転者は、適切な停車スペースの存在場所を簡単に知ることが出来る。
このため、比較的短時間のうちに、その停車スペースにて、シートベルトの再装着が可能となり、極めて使い勝手の良いものとなるのである。
【図面の簡単な説明】
【００１２】
【図１】本発明の一実施形態にかかるナビゲーション装置を搭載した自動車を示す平面図
【図２】同、制御ブロック図
【図３】同、表示部の表示内容を示す図
【図４】同、表示部の表示内容を示す図
【図５】同、表示部の表示内容を示す図
【図６】同、表示部の表示内容を示す図
【図７】同、表示部の表示内容を示す図
【図８】同、表示部の表示内容を示す図
【図９】同、動作フローチャート
【発明を実施するための形態】
【００１３】
以下、本発明の一実施形態を、添付図面を用いて説明する。
（実施の形態１）
図１において、１は自動車で、その車内２前方には運転席３と助手席４、また車内２の後方には、後席５、６が配置されている。
これらの、運転席３、助手席４、後席５、６には、それぞれシートベルト７が設けられている。このシートベルト７は、良く知られているように、ベルト８と、リトラクター９と、タング１０と、バックル１１から構成されている。また、運転席３の前方には、ハンドル１２、さらにこのハンドル１２の前方には、ナビゲーション装置１３が配置されている。
【００１４】
ナビゲーション装置１３は、この図１および図２に示す表示部１４と、この表示部１４に接続された制御部１５、およびこの制御部１５に接続された入力部１６、現在位置検出部１７、記憶部１８、１９、２０、車速計測部２１およびシートベルト着脱検出部２２、音声出力部２３とを備えている。これらの各部の一般的な構造動作は良く知られているので、説明の煩雑化を避けるため、目的地設定や、一般的な案内動作については、簡単に説明する。
【００１５】
先ず、目的地設定は、入力部１６によって行う。すると、制御部１５は記憶部２０内に格納された地図情報２４を用い、記憶部１８内に格納された経路探索プログラム２５にしたがって経路探索を行い、次に現在位置は現在位置検出部１７によって検出し、車速は車速計測部２１によって検出し、記憶部１８内に格納された経路案内プログラム２５ａにしたがって、表示部１４に、図３に示す地図表示と案内表示を行う。
【００１６】
そして、この運転中において、例えば後席６に座る子供のシートベルト７が外れた、具体的にはそのタング１０がバックル１１から外れると、記憶部１８内に格納されたシートベルト未装着判定プログラム２７にしたがって、シートベルト着脱検出部２２が検出する（図９のＳ１）。
【００１７】
また、このシートベルト着脱検出部２２が接続された制御部１５は、車速計測部２１によって、車速が所定値以上、つまり走行中であることを検出する（図９のＳ２）。
【００１８】
制御部１５は、このような走行時に、シートベルト未装着が所定時間（例えば５秒）以上継続されると、図４のごとく、シートベルト非装着警告２６を所定時間（例えば３０秒）表示させるとともに、音声出力部２３から警告音声を発する（図９のＳ３）。
【００１９】
そして、図４の状態から所定時間（例えば１分）経過しても、まだシートベルト未装着が継続されていると、制御部１５は図５のごとく表示部１４に、近隣の停車スペースを表示させるとともに、その停車スペースへの案内表示を実行する（図９のＳ４、Ｓ５）。
【００２０】
つまり、記憶部２０には、駐車場情報２８、ＳＡ／ＰＡ情報２９、非常駐車帯情報３０が格納されているので、制御部１５は、シートベルト未装着判定プログラム２７にしたがって、図５のごとく、近隣の停車スペース３１を表示させるとともに、その停車スペース３１への案内表示３２を表示する。
【００２１】
なお、この図３〜図５は、市内一般道を走行中の状態を示しているので、停車スペース３１とは、コンビニエンスストアなどが挙げられ、今まで進行していたルート案内が、この停車スペース３１を経由し、所期の目的地に向かうルートに変更表示されている。したがって、運転手は安心して、この図５の表示、案内ルートにしたがって運転することになる。
【００２２】
しかしながら、停車スペース３１が満車等で利用できず、通過せざるを得ないこともある。その場合、後席６に座る子供のシートベルト７は外れたままであるので、次に最寄の停車スペースが案内される（図９のＳ６、Ｓ５）。
以上のように、外れたシートベルトが着用されるまで常に最寄の停車スペースが案内されることとなる。
【００２３】
図６〜図８は、高速道路や自動車専用道路を走行している状態の表示部１４を示している。つまり、高速道路や自動車専用道路には、市内一般道とは異なり、停車スペース３３の種類は限られたものとなる。
【００２４】
具体例を挙げて説明すると、このような高速道路や自動車専用道路の運転中において、例えば後席６に座る子供のシートベルト７が外れた、具体的にはそのタング１０がバックル１１から外れると、記憶部１８内に格納されたシートベルト未装着判定プログラム２７にしたがって、シートベルト着脱検出部２２が検出する（図９のＳ１）。
【００２５】
また、このシートベルト着脱検出部２２が接続された制御部１５は、車速計測部２１によって、車速が所定値以上、つまり走行中であることを検出する（図９のＳ２）。
【００２６】
制御部１５は、このような走行時に、シートベルト未装着が所定時間（例えば５秒）以上継続されると、図７のごとく、シートベルト非装着警告２６を所定時間（例えば３０秒）表示させるとともに、音声出力部２３から警告音声を発する（図９のＳ３）。
【００２７】
そして、図７の状態から所定時間（例えば１分）経過しても、まだシートベルト未装着が継続されていると、制御部１５は図８のごとく表示部１４に、近隣の停車スペースを表示させるとともに、その停車スペースへの案内表示を実行する（図９のＳ４、Ｓ５）。
【００２８】
つまり、記憶部２０には、駐車場情報２８、ＳＡ／ＰＡ情報２９、非常駐車帯情報３０
が格納されているので、制御部１５は、シートベルト未装着判定プログラム２７にしたがって、図８のごとく、近隣の停車スペース３３を表示させるとともに、その停車スペース３３への案内表示３４を表示する。この図６〜図８は、高速道路や自動車専用道路を走行中の状態を示しているので、停車スペース３３とは、非常駐車帯やＳＡ／ＰＡなどが挙げられる。
【００２９】
つまり、高速道路や自動車専用道路を走行中は、高速走行状態であるので、シートベルト非装着状態は極めて危険な状態となる。
このため、非常駐車帯やＳＡ／ＰＡの内で、出来るだけ近傍の停車スペース３３を案内することになる。
また、表示部１４には、停車スペース３３までの距離表示３５も表示されている。
【００３０】
しかしながら、停車スペース３３が事故車等で利用できず、通過せざるを得ない事もある。その場合、後席６に座る子供のシートベルト７は外れたままであるので、次に最寄の停車スペースが案内される（図９のＳ６、Ｓ５）。
以上のように、外れたシートベルトが着用されるまで常に最寄の停車スペースが案内されることとなる。
【００３１】
以上のごとく、本実施形態では、シートベルト着脱検出部２２によってシートベルト７が外されたことを検出した場合に、制御部１５によって、表示部１４に、停車スペース３１、３３を表示させる構成としたので、運転者は、適切な停車スペース３１、３３の存在場所を簡単に知ることが出来る。このため、比較的短時間のうちに、その停車スペース３１、３３にて、シートベルト７の再装着が可能となり、極めて使い勝手の良いものとなるのである。
【産業上の利用可能性】
【００３２】
以上のように本発明は、地図情報を表示する表示部と、この表示部に接続した制御部と、この制御部に接続した現在位置検出部、記憶部、車速計測部およびシートベルト着脱検出部とを備え、前記制御部は、前記車速計測部によって車速が所定値以上であると検出し、かつ、シートベルト着脱検出部によってシートベルトが外されたことを検出した場合に、前記表示部に、停車スペースを表示させる構成としたので、使い勝手の良いものとなる。
【００３３】
すなわち、本発明では、シートベルト着脱検出部によってシートベルトが外されたことを検出した場合に、制御部によって、表示部に、停車スペースを表示させる構成としたので、運転者は、適切な停車スペースの存在場所を簡単に知ることが出来る。
【００３４】
このため、比較的短時間のうちに、その停車スペースにて、シートベルトの再装着が可能となり、極めて使い勝手の良いものとなるのである。したがって、ナビゲーション装置と、それを搭載した自動車としての活用が期待されるものとなる。
【符号の説明】
【００３５】
１  自動車
２  車内
３  運転席
４  助手席
５  後席
６  後席
７  シートベルト
８  ベルト
９  リトラクター
１０  タング
１１  バックル
１２  ハンドル
１３  ナビゲーション装置
１４  表示部
１５  制御部
１６  入力部
１７  現在位置検出部
１８  記憶部
１９  記憶部
２０  記憶部
２１  車速計測部
２２  シートベルト着脱検出部
２３  音声出力部
２４  地図情報
２５  経路探索プログラム
２５ａ  経路案内プログラム
２６  シートベルト非装着警告
２７  シートベルト未装着判定プログラム
２８  駐車場情報
２９  ＳＡ／ＰＡ情報
３０  非常駐車帯情報
３１  停車スペース
３２  案内表示
３３  停車スペース
３４  案内表示
３５  距離表示
【図１】
2014106218.tif 000003
【図２】
2014106218.tif 000004
【図３】
2014106218.tif 000005
【図４】
2014106218.tif 000006
【図５】
2014106218.tif 000007
【図６】
2014106218.tif 000008
【図７】
2014106218.tif 000009
【図８】
2014106218.tif 000010
【図９】
2014106218.tif 000011